(57)【要約】【課題】ＰＤＶの発生を良好に抑制することができる送信器、受信器、通信システム、送信方法、受信方法、および通信方法を提供する。【解決手段】多重化部２７が、送信相手に送信すべきデータに応じた主データパケットに、送信相手と同期するための情報に応じた特定パケットを多重した無線フレームを生成する。送信部２８が、多重化部２７によって生成された無線フレームを送信する。そして、多重化部２７が、特定パケットが入力されたときに、特定パケットを主データパケットに割り込ませて多重する。また、送信部２８が、主データパケットに割り込ませて多重した特定パケットの位置を特定する割り込み信号を送信する。【選択図】      図５
2016105553.tif 000002
【特許請求の範囲】
【請求項１】
送信相手に送信すべきデータに応じた主データパケットに、前記送信相手と同期するための情報に応じた特定パケットを多重した無線フレームを生成する多重化手段と、
前記多重化手段によって生成された前記無線フレームを送信する送信手段とを備え、
前記多重化手段は、前記特定パケットが入力されたときに、前記特定パケットを前記主データパケットに割り込ませて多重し、
前記送信手段は、前記主データパケットに割り込ませて多重した前記特定パケットの位置を特定する割り込み信号を送信する
ことを特徴とする送信器。
【請求項２】
前記多重化手段は、前記特定パケットを前記主データパケットに割り込ませて多重する場合に、前記主データパケットについての処理を中断する
請求項１に記載の送信器。
【請求項３】
前記特定パケットは、自送信器に入力された日時を示す情報を含む
請求項１または請求項２に記載の送信器。
【請求項４】
送信相手に送信すべきデータに応じた主データパケットに、前記送信相手と同期するための情報に応じた特定パケットが割り込んで多重された無線フレームを受信する受信手段と、
前記受信手段が受信した前記無線フレームから前記主データパケットおよび前記主データパケットに割り込んで多重されている前記特定パケットを抽出する抽出手段とを備えた
ことを特徴とする受信器。
【請求項５】
前記抽出手段は、前記主データパケットに割り込んで多重されている前記特定フレームを抽出する場合に、前記主データパケットについての処理を中断する
請求項４に記載の受信器。
【請求項６】
請求項１から請求項３のうちいずれか記載の送信器と、
請求項４または請求項５に記載の受信器とを備えた
ことを特徴とする通信システム。
【請求項７】
前記多重化手段は、前記割り込み信号を前記特定フレームに多重した無線フレームを生成し、
前記抽出部は、前記割り込み信号を抽出可能であり、前記無線フレームから前記割り込み信号を抽出した場合に、前記主データパケットに割り込んでいる前記特定パケットを抽出する
請求項６に記載の通信システム。
【請求項８】
送信相手に送信すべきデータに応じた主データパケットに、前記送信相手と同期するための情報に応じた特定パケットを多重した無線フレームを生成する多重化ステップ、
および前記多重化ステップで生成された前記無線フレームを送信する送信ステップを含み、
前記多重化ステップで、前記特定パケットが入力されたときに、前記特定パケットを前記主データパケットに割り込ませて多重し、
前記送信ステップで、前記主データパケットに割り込ませて多重した前記特定パケットの位置を特定する割り込み信号を送信する
ことを特徴とする送信方法。
【請求項９】
送信相手に送信すべきデータに応じた主データパケットに、前記送信相手と同期するための情報に応じた特定パケットが割り込んで多重された無線フレームを受信する受信ステップ、
および前記受信ステップで受信した前記無線フレームから前記主データパケットおよび前記主データパケットに割り込んで多重されている前記特定パケットを抽出する抽出ステップとを含む
ことを特徴とする受信方法。
【請求項１０】
送信相手に送信すべきデータに応じた主データパケットに、前記送信相手と同期するための情報に応じた特定パケットを多重した無線フレームを生成する多重化ステップ、
前記多重化ステップで生成された前記無線フレームを送信する送信ステップ、
前記送信ステップで送信された前記無線フレームを受信する受信ステップ、
および前記受信ステップで受信した前記無線フレームから前記主データパケットおよび前記特定パケットを抽出する抽出ステップを含み、
前記多重化ステップで、前記特定パケットが入力されたときに、前記特定パケットを前記主データパケットに割り込ませて多重し、
前記送信ステップで、前記主データパケットに割り込ませて多重した前記特定パケットの位置を特定する割り込み信号を送信し、
前記抽出ステップで、前記主データパケットに割り込んで多重されている前記特定フレームを抽出する
ことを特徴とする通信方法。
【発明の詳細な説明】
【技術分野】
【０００１】
本発明は、無線通信を行う送信器、受信器、通信システム、送信方法、受信方法、および通信方法に関する。
【背景技術】
【０００２】
送信器と受信器との間で送受信されるパケットの位相を同期させるために、ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ，Ｉｎｃ）１５８８のような位相同期機能がある。
【０００３】
特許文献１には、受信した互いにフレーム長が異なるフレームのうち、特定のフレーム長のフレームに基づいて各フレームを同期させて順次出力する装置が記載されている。
【０００４】
特許文献２には、受信したパケットにおいて時分割多重化された各ストリームを同期させて順次出力するために、空き領域を除去したり、適当なビットパターンを挿入したりする回路が記載されている。
【先行技術文献】
【特許文献】
【０００５】
【特許文献１】特開２００８−２７８１８８号公報
【特許文献２】特開平８−１７２４５２号公報
【発明の概要】
【発明が解決しようとする課題】
【０００６】
前述したＩＥＥＥ１５８８の位相同期機能は、遅延揺らぎ（ＰＤＶ：Ｐａｃｋｅｔ  Ｄｅｌａｙ  Ｖａｒｉａｔｉｏｎ）が大きいと、位相の同期に必要とされるネットワーク特性を満たすことができず、位相を同期させることができないという問題がある。
【０００７】
ＰＤＶは、パケットを無線通信回線を介して送受信する場合に、主に、フレームを多重化する処理（以下、単に多重化処理という）および多重化されたフレームからパケットを抽出する処理（以下、単に抽出処理という）で生じる。具体的には、例えば、フレーム長が短いパケットについての多重化処理および抽出処理では、次パケットの処理待ち時間が短くなる。また、例えば、フレーム長が長いパケットについての多重化処理および抽出処理では、次パケットの処理待ち時間が長くなる。すると、パケットのフレーム長の長短に応じて次パケットの待ち時間が変動し、ＰＤＶが生じてしまう。
【０００８】
図７は、ＰＤＶが生じた無線フレームの例を示す説明図である。図７に示す例では、特定パケットＢが入力開始されてから、多重遅延時間Ｔ１経過後に、無線フレームにおいて特定パケットＢに応じた領域が送信開始される。したがって、図７に示す例では、特定パケットＢについての多重遅延時間はＴ１である。
【０００９】
また、図７に示す例では、特定パケットＤが入力開始されてから、多重遅延時間Ｔ２経過後に、無線フレームにおいて特定パケットＤに応じた領域が送信開始される。したがって、図７に示す例では、特定パケットＤについての多重遅延時間はＴ２である。
【００１０】
そして、Ｔ１とＴ２との間に差が生じた場合に、多重遅延時間が変化したことになる。つまり、遅延揺らぎであるＰＤＶが生じたことになる。したがって、図７に示すように、入力されたパケットのフレーム長の長短に応じて、ＰＤＶが生じる。
【００１１】
特許文献１に記載されている装置は、特定のフレーム長でないフレームではＰＤＶが生じてしまう。すると、ＩＥＥＥ１５８８の位相同期機能を適用しても、位相を同期させることができないという問題が生じうる。
【００１２】
また、特許文献２に記載されている装置のように適当なビットパターンを挿入すると、ＰＤＶを抑制したいデータ以外のデータ（例えば、挿入されたビットパターン）の増加によって多重化処理および抽出処理に要する時間が変動してしまう。そうすると、やはり、ＰＤＶが生じてしまう。したがって、ＩＥＥＥ１５８８の位相同期機能によって、位相を同期させることができないという問題が生じうる。
【００１３】
そこで、本発明は、ＰＤＶの発生を良好に抑制することができる送信器、受信器、通信システム、送信方法、受信方法、および通信方法を提供することを目的とする。
【課題を解決するための手段】
【００１４】
本発明による送信器は、送信相手に送信すべきデータに応じた主データパケットに、送信相手と同期するための情報に応じた特定パケットを多重した無線フレームを生成する多重化手段と、多重化手段によって生成された無線フレームを送信する送信手段とを備え、多重化手段は、特定パケットが入力されたときに、特定パケットを主データパケットに割り込ませて多重し、送信手段は、主データパケットに割り込ませて多重した特定パケットの位置を特定する割り込み信号を送信することを特徴とする。
【００１５】
本発明による受信器は、送信相手に送信すべきデータに応じた主データパケットに、送信相手と同期するための情報に応じた特定パケットが割り込んで多重された無線フレームを受信する受信手段と、受信手段が受信した無線フレームから主データパケットおよび主データパケットに割り込んで多重されている特定パケットを抽出する抽出手段とを備えたことを特徴とする。
【００１６】
本発明による通信システムは、いずれかの態様の送信器と、いずれかの態様の受信器とを備えたことを特徴とする。
【００１７】
本発明による送信方法は、送信相手に送信すべきデータに応じた主データパケットに、送信相手と同期するための情報に応じた特定パケットを多重した無線フレームを生成する多重化ステップ、および多重化ステップで生成された無線フレームを送信する送信ステップを含み、多重化ステップで、特定パケットが入力されたときに、特定パケットを主データパケットに割り込ませて多重し、送信ステップで、主データパケットに割り込ませて多重した特定パケットの位置を特定する割り込み信号を送信することを特徴とする。
【００１８】
本発明による受信方法は、送信相手に送信すべきデータに応じた主データパケットに、送信相手と同期するための情報に応じた特定パケットが割り込んで多重された無線フレームを受信する受信ステップ、および受信ステップで受信した無線フレームから主データパケットおよび主データパケットに割り込んで多重されている特定パケットを抽出する抽出ステップとを含むことを特徴とする。
【００１９】
本発明による通信方法は、送信相手に送信すべきデータに応じた主データパケットに、送信相手と同期するための情報に応じた特定パケットを多重した無線フレームを生成する多重化ステップ、多重化ステップで生成された無線フレームを送信する送信ステップ、送信ステップで送信された無線フレームを受信する受信ステップ、および受信ステップで受信した無線フレームから主データパケットおよび特定パケットを抽出する抽出ステップを含み、多重化ステップで、特定パケットが入力されたときに、特定パケットを主データパケットに割り込ませて多重し、送信ステップで、主データパケットに割り込ませて多重した特定パケットの位置を特定する割り込み信号を送信し、抽出ステップで、主データパケットに割り込んで多重されている特定フレームを抽出することを特徴とする。
【発明の効果】
【００２０】
本発明によれば、ＰＤＶの発生を良好に抑制することができる。
【図面の簡単な説明】
【００２１】
【図１】本発明の第１の実施形態の通信システムの構成例を示すブロック図である。
【図２】本発明の第１の実施形態の通信システムにおける送信器の動作を説明するフローチャートである。
【図３】ステップＳ１１１の処理で送信された無線フレームの構成例を示す説明図である。
【図４】本発明の第１の実施形態の通信システムにおける受信器の動作を説明するフローチャートである。
【図５】本発明の第２の実施形態の送信器の構成例を示すブロック図である。
【図６】本発明の第３の実施形態の受信器の構成例を示すブロック図である。
【図７】ＰＤＶが生じた無線フレームの例を示す説明図である。
【発明を実施するための形態】
【００２２】
実施形態１．
本発明の第１の実施形態の通信システム１００について、図面を参照して説明する。図１は、本発明の第１の実施形態の通信システム１００の構成例を示すブロック図である。図１に示すように、本発明の第１の実施形態の通信システム１００は、送信器２００および受信器３００を含む。そして、図１に示すように、送信器２００にはアンテナ２１０が設置され、受信器３００にはアンテナ３１０が設置されている。送信器２００はアンテナ２１０を介して無線フレームを送信する。また、受信器３００は、送信器２００からアンテナ２１０を介して送信された無線フレームをアンテナ３１０を介して受信する。つまり、送信器２００と受信器３００との間で、無線通信が行われる。また、送信器２００と受信器３００とは、例えば、ＩＥＥＥ１５８８のグランドマスタクロックにそれぞれ接続されて位相同期機能によって時刻同期が行われていたり、ＧＰＳ（Ｇｌｏｂａｌ  Ｐｏｓｉｔｉｏｎｉｎｇ  Ｓｙｓｔｅｍ）信号に基づいて時刻同期が行われていたりしているとする。
【００２３】
図１に示すように、送信器２００は、特定パケット判別部２２０、主データパケット用バッファ２３０、特定パケット用バッファ２４０、その他信号処理部２５０、その他信号用バッファ２６０、無線フレーム多重部２７０、および送信処理部２８０を含む。
【００２４】
特定パケット判別部２２０には、例えば、音声データや映像データ等の主データに基づく主データパケットが入力される。また、特定パケット判別部２２０には、送信器２００によって送信されて受信器３００で受信される無線フレームにおけるパケットの位相を同期させるためのデータである同期データに基づく特定パケットが入力される。特定パケットは、例えば、送信器２００への入力日時（時刻だけでもよい）を示す情報に応じた同期データに基づくパケットである。
【００２５】
そして、特定パケット判別部２２０は、主データパケットを主データパケット用バッファ２３０に入力して記憶させ、特定パケットを特定パケット用バッファ２４０に入力して記憶させる。
【００２６】
また、特定パケット判別部２２０は、特定パケットが入力された場合に、特定パケットに応じた割り込み処理の実行を指示するオン状態の特定パケット割り込み信号を生成して、無線フレーム多重部２７０に入力する。
【００２７】
その他信号処理部２５０には、例えば、無線通信用の制御情報に応じた制御データが入力される。制御データは、例えば、送信器２００を識別するための識別子や、送信器２００に入力されたパケットの誤り訂正用の情報、当該パケットの変調方式を示す情報、電力制御用の情報等に応じたデータである。
【００２８】
その他信号処理部２５０は、入力された制御データをその他信号用バッファ２６０に入力して記憶させる。
【００２９】
無線フレーム多重部２７０は、主データパケット用バッファ２３０、特定パケット用バッファ２４０、およびその他信号用バッファ２６０から主データパケット、特定パケット、および制御データを読み出す。そして、無線フレーム多重部２７０は、読み出した主データパケット、特定パケット、および制御データを、例えば、時分割多重化し、さらに、特定パケット割り込み信号を、例えば、符号分割多重化した無線フレームを生成する。そして、無線フレーム多重部２７０は、生成した無線フレームを送信処理部２８０に入力する。
【００３０】
送信処理部２８０は、無線フレーム多重部２７０が入力した無線フレームに、周波数変換したり増幅したりする送信処理を行い、アンテナ２１０に入力する。アンテナ２１０に入力された無線フレームは送信される。
【００３１】
また、図１に示すように、受信器３００は、受信処理部３２０、無線フレーム抽出部３３０、特定パケット判別部３４０、主データパケット処理部３５０、出力パケット選択部３６０、制御データ処理部３７０、およびその他信号処理部３８０を含む。
【００３２】
受信処理部３２０は、アンテナ３１０によって受信された無線フレームが入力される。そして、受信処理部３２０は、入力された無線フレームを中間周波数に変換する等の受信処理を行う。そして受信処理部３２０は、受信処理後の無線フレームを無線フレーム抽出部３３０に入力する。
【００３３】
無線フレーム抽出部３３０は、入力された無線フレームから、主データパケットまたは特定パケットが含まれるパケット、制御データ、および特定パケット割り込み信号を抽出する。そして、無線フレーム抽出部３３０は、特定パケット判別部３４０に、抽出した主データパケットまたは特定パケットが含まれるパケットを入力する。また、無線フレーム抽出部３３０は、制御データ処理部３７０に、抽出した制御データを入力する。さらに、無線フレーム抽出部３３０は、特定パケット判別部３４０、主データパケット処理部３５０、出力パケット選択部３６０、および制御データ処理部３７０に、抽出した特定パケット割り込み信号を入力する。
【００３４】
特定パケット判別部３４０は、入力された特定パケット割り込み信号に応じて、主データパケット処理部３５０に、入力された主データパケットを入力する。また、特定パケット判別部３４０は、入力された特定パケット割り込み信号に応じて、出力パケット選択部３６０に、入力された特定パケットを入力する。
【００３５】
主データパケット処理部３５０は、入力された特定パケット割り込み信号に応じて、出力パケット選択部３６０に、入力された主データパケットを入力する。
【００３６】
出力パケット選択部３６０は、入力された特定パケット割り込み信号に応じて、入力された主データパケットまたは特定パケットを出力する。
【００３７】
制御データ処理部３７０は、入力された特定パケット割り込み信号に応じて、その他信号処理部３８０に、入力された制御データを入力する。
【００３８】
その他信号処理部３８０は、制御データの内容に応じた処理を行って処理後の情報を出力する。
【００３９】
次に、本発明の第１の実施形態の通信システム１００の動作について説明する。図２は、本発明の第１の実施形態の通信システム１００における送信器２００の動作を説明するフローチャートである。
【００４０】
送信器２００の特定パケット判別部２２０にパケットが入力された場合に（ステップＳ１０１のＹ）、特定パケット判別部２２０は、入力されたパケットが特定パケットであるか否かを判断する。そして、特定パケット判別部２２０は、入力されたパケットが特定パケットであると判断した場合に（ステップＳ１０２のＹ）、入力された特定パケットを特定パケット用バッファ２４０に入力して（ステップＳ１０３）、記憶させる。そして、特定パケット判別部２２０は、特定パケット割り込み信号をオン状態にして無線フレーム多重部２７０に入力する（ステップＳ１０４）。
【００４１】
なお、特定パケット判別部２２０は、例えば、パケットのヘッダ部に含まれている当該パケットの種類を識別するための情報や、当該パケットの内容等に基づいて、入力されたパケットが特定パケットであるか否かを判断する。
【００４２】
また、特定パケット判別部２２０は、入力されたパケットが特定パケットでないと判断した場合に（ステップＳ１０１のＹ，Ｓ１０２のＮ）、すなわち、入力されたパケットが主データパケットである場合に、入力された主データパケットを主データパケット用バッファ２３０に入力して（ステップＳ１０５）、記憶させる。そして、特定パケット判別部２２０は、特定パケット割り込み信号をオフ状態にして無線フレーム多重部２７０に入力する。
【００４３】
送信器２００のその他信号処理部２５０に制御データが入力された場合に（ステップＳ１０１のＮ）、その他信号処理部２５０は、入力された制御データをその他信号用バッファ２６０に入力して（ステップＳ１０６）、記憶させる。
【００４４】
無線フレーム多重部２７０は、オン状態の特定パケット割り込み信号が入力された場合に（ステップＳ１０７のＹ）、割り込み処理を開始して特定パケット用バッファ２４０にデータリード信号を入力して、特定バケット用バッファ２４０に記憶されている特定パケットを読み出す（ステップＳ１０８）。
【００４５】
無線フレーム多重部２７０は、オフ状態の特定パケット割り込み信号が入力されている場合に（ステップＳ１０７のＮ）、以下の処理を行う。すなわち、無線フレーム多重部２７０は、制御手段（図示せず）の指示に応じて、主データパケット用バッファ２３０またはその他信号用バッファ２６０にデータリード信号を入力する。そして、データリード信号を入力した主データパケット用バッファ２３０またはその他信号用バッファ２６０から主データパケットまたは制御データを読み出す（ステップＳ１０９）。
【００４６】
無線多重フレーム２７０は、ステップＳ１０８またはＳ１０９の処理で読み出した特定パケット、主データパケットまたは制御データと、特定パケット判別部２２０が入力した特定パケット割り込み信号とを多重して無線フレームを生成する（ステップＳ１１０）。そして、無線多重フレーム２７０は、送信処理部２８０に、生成した無線フレームを入力する。
【００４７】
なお、特定パケット判別部２２０は、無線フレーム多重部２７０がステップＳ１０９の処理の実行中にも、ステップＳ１０１〜Ｓ１０４の処理を実行する。そして、無線フレーム多重部２７０は、ステップＳ１０９の処理の実行中に、特定パケット割り込み信号がオン状態になった場合に（ステップＳ１０７のＹ）、ステップＳ１０９の処理を中断して、ステップＳ１０８，Ｓ１１０の処理を実行する。したがって、特定パケットは、主データパケットまたは制御データに割り込んで多重される。
【００４８】
そして、ステップＳ１０７〜Ｓ１１０に示すように、特定パケットにはオン状態の特定パケット割り込み信号が多重され、主データパケットおよび制御データにはオフ状態の特定パケット割り込み信号が多重される。
【００４９】
送信処理部２８０は、入力された無線フレームに送信処理を行い、アンテナ２１０に入力する。アンテナ２１０に入力された無線フレームは送信される（ステップＳ１１１）。
【００５０】
図３は、ステップＳ１１１の処理で送信された無線フレームの構成例を示す説明図である。図３に示すように、ステップＳ１１１の処理で送信された無線フレームにおいて、特定パケットＢは、ステップＳ１０８の処理で開始された割り込み処理によって、制御データＡの領域内に配置されている。また、特定パケットＤは、ステップＳ１０８の処理で開始された割り込み処理によって、主データパケットＣの領域内に配置されている。
【００５１】
また、図３に示すように、特定パケットＢ，Ｄにはオン状態の特定パケット割り込み信号が多重され、主データパケットＣ，Ｅ，Ｆおよび制御データＡにはオフ状態の特定パケット割り込み信号が多重されている。
【００５２】
したがって、図７に示す例と異なり、特定パケットＢ，Ｄが入力開始されると、多重遅延時間が生じることなく、特定パケットＢ，Ｄの送信が開始される。よって、本例によれば、他のパケットの多重化処理によってＰＤＶが生じることはない。
【００５３】
図４は、本発明の第１の実施形態の通信システム１００における受信器３００の動作を説明するフローチャートである。
【００５４】
受信器３００の受信処理部３２０は、アンテナ３１０によって受信された無線フレームに受信処理を施して（ステップＳ２０１）、受信処理後の無線フレームを無線フレーム抽出部３３０に入力する。
【００５５】
無線フレーム抽出部３３０は、受信処理部３２０が入力した無線フレームに多重されて含まれている特定パケット割り込み信号を抽出して（ステップＳ２０２）、特定パケット判別部３４０、主データパケット処理部３５０、出力パケット選択部３６０、および制御データ処理部３７０に入力する。
【００５６】
また、無線フレーム抽出部３３０は、入力された無線フレームにおける処理対象領域が制御データであった場合に（ステップＳ２０３のＹ）、当該無線フレームから制御データを抽出する（ステップＳ２０４）。そして、無線フレーム抽出部３３０は、制御データ処理部３７０に、ステップＳ２０４の処理で抽出した制御データを入力する（ステップＳ２０５）。
【００５７】
なお、無線フレーム抽出部３３０は、ステップＳ２０３の処理で、例えば、処理対象領域のヘッダ部に含まれている当該領域が制御データまたはパケットに応じた領域であることを示す情報や、当該領域の内容等に基づいて、以下の処理を行う。すなわち、無線フレーム抽出部３３０は、ステップＳ２０３の処理で、処理対象領域が制御データに応じた領域であるのか、またはパケットに応じた領域であるのかを判断する。
【００５８】
制御データ処理部３７０は、ステップＳ２０２の処理で抽出されて無線フレーム抽出部３３０が入力した特定パケット割り込み信号がオフ状態である場合に（ステップＳ２０６のＹ）、その他信号処理部３８０に、ステップＳ２０５の処理で入力された制御データを入力する。そして、その他信号処理部３８０は、制御データの内容に応じた処理を行って処理後の情報を出力する（ステップＳ２０７）。
【００５９】
なお、制御データ処理部３７０は、ステップＳ２０２の処理で抽出されて無線フレーム抽出部３３０が入力した特定パケット割り込み信号がオン状態である場合に（ステップＳ２０６のＮ）、制御データの処理を中断してステップＳ２１３の処理に移行する。
【００６０】
無線フレーム抽出部３３０は、入力された無線フレームにおける処理対象領域が主データパケットまたは特定パケットを含むパケットである場合に（ステップＳ２０３のＮ）、当該パケットを抽出する（ステップＳ２０８）。そして、無線フレーム抽出部３３０は、特定パケット判別部３４０に、ステップＳ２０８の処理で抽出したパケットを入力する。
【００６１】
特定パケット判別部３４０は、入力されたパケットが特定パケットである場合に（ステップＳ２０９のＹ）、ステップＳ２１３の処理に移行する。
【００６２】
なお、特定パケット判別部３４０は、入力されたパケットが特定パケットであるか否かを、当該パケットに多重されている特定パケット割り込み信号がオン状態であるか否かに基づいて判別する。具体的には、特定パケット判別部３４０は、オン状態である特定パケット割り込み信号に多重されているパケットを特定パケットであると判別し、オフ状態である特定パケット割り込み信号に多重されているパケットを主データパケットであると判別する。
【００６３】
特定パケット判別部３４０は、入力されたパケットが特定パケットでない場合に（ステップＳ２０９のＮ）、つまり、主データパケットである場合に、主データパケット処理部３５０に当該主データパケットを入力する（ステップＳ２１０）。
【００６４】
ステップＳ２１０の処理で主データパケットを入力された主データパケット処理部３５０は、特定パケット割り込み信号が継続してオフ状態である場合に（ステップＳ２１１のＹ）、出力パケット選択部３６０に当該主データパケットを入力する（ステップＳ２１２）。また、主データパケット処理部３５０は、特定パケット割り込み信号がオン状態である場合に（ステップＳ２１１のＮ）、出力パケット選択部３６０への当該主データパケットの入力を中断する。そして、ステップＳ２１３の処理に移行する。
【００６５】
特定パケット判別部３４０は、ステップＳ２１３の処理で、出力パケット選択部３６０に当該特定パケットを入力する（ステップＳ２１３）。そして、ステップＳ２１４の処理に移行する。出力パケット選択部３６０は、ステップＳ２１４の処理で、特定パケット割り込み信号がオン状態である場合にはステップＳ２１３の処理で入力された特定パケットを出力する（ステップＳ２１４）。また、出力パケット選択部３６０は、ステップＳ２１４の処理で、特定パケット割り込み信号がオフ状態である場合にはステップＳ２１２の処理で入力された主データパケットを出力する（ステップＳ２１４）。
【００６６】
したがって、図３に例示したように無線フレームを構成した場合に、主データパケットと特定パケットと制御データに応じた情報とを適切に出力することが可能である。
【００６７】
本実施形態によれば、送信器２００が、特定パケットが入力されたときに当該特定パケットを主データパケットや制御データに割り込ませて多重した無線フレームを送信する。そして、当該無線フレームを受信した受信器３００が、主データパケットや制御データに割り込んでいる特定パケットを、当該主データパケットや制御データの処理を中断して出力する。したがって、多重化や抽出等の処理によるＰＤＶの発生を良好に抑制することができる。よって、前述したＩＥＥＥ１５８８の位相同期機能によって、送信器２００と受信器３００との間で送受信されるパケットの位相を同期させることが可能になる。
【００６８】
実施形態２．
本発明の第２の実施形態の送信器２０について、図面を参照して説明する。図５は、本発明の第２の実施形態の送信器２０の構成例を示すブロック図である。図５に示すように、本発明の第２の実施形態の送信器２０は、多重化部２７および送信部２８を含む。
【００６９】
なお、多重化部２７は、例えば、図１に示す本発明の第１の実施形態における無線フレーム多重部２７０に相当する。送信部２８は、例えば、図１に示す本発明の第１の実施形態における送信処理部２８０に相当する。
【００７０】
多重化部２７は、送信相手に送信すべきデータに応じた主データパケットに、送信相手と同期するための情報に応じた特定パケットを多重した無線フレームを生成する。送信部２８は、多重化部２７によって生成された無線フレームを送信する。
【００７１】
そして、多重化部２７は、特定パケットが入力されたときに、特定パケットを主データパケットに割り込ませて多重する。また、送信部２８は、主データパケットに割り込ませて多重した特定パケットの位置を特定する割り込み信号を送信する。
【００７２】
本実施形態によれば、ＰＤＶの発生を良好に抑制することができる。
【００７３】
実施形態３．
本発明の第３の実施形態の受信器３０について、図面を参照して説明する。図６は、本発明の第３の実施形態の受信器３０の構成例を示すブロック図である。図６に示すように、本発明の第３の実施形態の受信器３０は、受信部３２および抽出部３３を含む。
【００７４】
なお、受信部３２は、例えば、図１に示す本発明の第１の実施形態における受信処理部３２０に相当する。抽出部３３は、例えば、図１に示す本発明の第１の実施形態における無線フレーム抽出部３３０に相当する。
【００７５】
受信部３２は、送信相手に送信すべきデータに応じた主データパケットに、送信相手と同期するための情報に応じた特定パケットが割り込んで多重された無線フレームを受信する。抽出部３３は、受信部３２が受信した無線フレームから主データパケットおよび主データパケットに割り込んで多重されている特定パケットを抽出する。
【００７６】
本実施形態によれば、ＰＤＶの発生を良好に抑制することができる。
【符号の説明】
【００７７】
１００    通信システム
２０、２００    送信器
２７    多重化部
２８    送信部
３０、３００    受信器
３２    受信部
３３    抽出部
２１０、３１０    アンテナ
２２０    特定パケット判別部
２３０    主データパケット用バッファ
２４０    特定パケット用バッファ
２５０    その他信号処理部
２６０    その他信号用バッファ
２７０    無線フレーム多重部
２８０    送信処理部
３２０    受信処理部
３３０    無線フレーム抽出部
３４０    特定パケット判別部
３５０    主データパケット処理部
３６０    出力パケット選択部
３７０    制御データ処理部
３８０    その他信号処理部
【図１】
2016105553.tif 000003
【図２】
2016105553.tif 000004
【図３】
2016105553.tif 000005
【図４】
2016105553.tif 000006
【図５】
2016105553.tif 000007
【図６】
2016105553.tif 000008
【図７】
2016105553.tif 000009